(57)【要約】【課題】  内扉の前面に商品箱受台が取り付けられた自動販売機において、商品を補充する作業中に外扉を閉じてしまっても、商品箱受台などの破損を防止できる自動販売機を提供する。【解決手段】  自動販売機本体２と、自動販売機本体２に回動可能に取り付けられるとともに自動販売機本体２の前面を開閉する外扉５と、自動販売機本体２の内部に配置されているとともに、商品を補充するための商品投入口３ａおよび商品投入口３ａから投入された商品を収容する商品収納経路部３ｂを有する商品収容部３と、商品投入口３ａを開口させた状態で商品収納経路部３ｂの前面を覆うことが可能な内扉７とを備えた自動販売機２０であって、閉じられた状態の外扉５の背面部６と内扉７との隙間２６において、補充商品が詰め込まれた商品箱を係合可能な商品箱係合部材２２が、前記商品箱に係合できる姿勢で内扉７の前面に取り付けられている。【選択図】図１
2006163653.tif 000002
【特許請求の範囲】
【請求項１】
自動販売機本体と、前記自動販売機本体に回動可能に取り付けられるとともに前記自動販売機本体の前面を開閉する外扉と、前記自動販売機本体の内部に配置されているとともに、商品を補充するための商品投入口および前記商品投入口から投入された商品を収容する商品収納経路部を有する商品収容部と、前記商品投入口を開口させた状態で前記商品収納経路部の前面を覆うことが可能な内扉とを備えた自動販売機であって、閉じられた状態の外扉の背面と前記内扉との隙間において、補充商品が詰め込まれた商品箱を係合可能な商品箱係合部材が、前記商品箱に係合できる姿勢で前記内扉の前面に取り付けられていることを特徴とする自動販売機。
【請求項２】
商品箱係合部材は、内扉側から外扉側に向かって形成されて商品箱を係合させる係合部と、前記係合部を前記内扉に対して支持する支持部と、前記商品箱係合部材を前記内扉に対して取り付けるための取付部とを有し、前記係合部と、前記支持部と、前記取付部とが一体に形成されていることを特徴とする請求項１記載の自動販売機。
【請求項３】
商品箱係合部材は、内扉の上下方向に対する取り付け高さが調整可能とされていることを特徴とする請求項１または２記載の自動販売機。
【請求項４】
商品箱係合部材は、取付板を介して内扉に取り付けられており、前記取付板は、前記商品箱係合部材を前記内扉に対して係止するための係止孔を有し、前記係止孔が前記取付板の上下方向に対して複数形成されていることを特徴とする請求項１〜３のいずれか１項記載の自動販売機。
【発明の詳細な説明】
【技術分野】
【０００１】
本発明は、自動販売機に関する。
【背景技術】
【０００２】
図１０および図１１に示すように、冷却商品や加温商品といった調温された缶飲料などの商品を販売する自動販売機１においては、外扉５を開閉自在に支持する自動販売機本体２の中央部から上部にかけて、断熱構造の内箱４が設けられている。この内箱４内は、商品を収容する商品収容部３とされ、内箱４の前面側は断熱構造の内扉７で開閉されるようになっている。
【０００３】
商品収容部３には、商品を商品収容部３に補充するための商品投入口３ａが上部に形成されており、商品投入口３ａよりも下部に、商品投入口３ａから補充された商品を収容するとともに商品収容部３の下部に設けられた商品払出機構８へと商品を案内する商品収納経路部３ｂが形成されている。
【０００４】
内扉７は、商品収容部３内に商品を補充するときにこの商品収容部３内の冷気または暖気が外部に漏れることを極力避けるためや商品の補充時に商品収納経路部３ｂで発生する音が外部に漏れないようにするために、商品投入口３ａに対応する上部内扉７ａと、商品収納経路部３ｂに対応する下部内扉７ｂとがそれぞれ別々に開閉自在とされている。これにより、下部内扉７ｂを閉じ、上部内扉７ａのみを開けた状態で、商品投入口３ａからの商品の補充が可能とされている。また、外扉５の内側には、自動販売機本体２の制御部１６や料金回収部１７などが取り付けられており、また、外扉５の背面部６には各種設定情報を入力するための操作部１４などが取り付けられている。
【０００５】
外扉５の背面部６と内扉７との間には、外扉５が閉じられたときに、操作部１４、制御部１６、料金回収部１７などが内扉７に接触しないように、自動販売機本体２の奥行き方向に隙間２６が形成されている。
【０００６】
図１０および図１１に示した自動販売機１において、商品収容部３内に商品を補充するときには、上述のように、下部内扉７ｂを閉じ、上部内扉７ａのみを開けた状態で、商品投入口３ａから商品を補充するようにしている。このような方法により商品を補充する場合、作業者は、商品が詰め込まれたダンボール箱などの商品箱を地面や床上に置き、置かれた商品箱内から商品を取り出し、商品投入口３ａから商品収容部３内に投入している。
【０００７】
このように、商品が詰め込まれた商品箱と商品投入口３ａとの間にある程度の高低差があると、作業者は、商品箱からの商品の取り出し、商品収容部３内への商品の投入という動作を行うたびに体を屈曲等させなければならず、この体の屈曲等の動作自体が作業者にとって大きな負担となっていた。
【０００８】
このような、体の屈曲等の動作を行わずに、商品を補充できるようにするために、最近では、図１２に示すように、下部内扉７ｂの前面に折りたたみ式の商品箱受台９を設けて商品が詰め込まれた商品箱１５を載置できるようにしている（例えば、特許文献１参照）。
【０００９】
この折りたたみ式の商品箱受台９は、図１２〜図１４に示すように、一端部が取付金具１０を介して下部内扉７ｂの前面に回動可能に支持されている棚板１１と、商品箱受台９の組み立て完了時に棚板１１を水平姿勢に支持する四角枠状の支持部１２と、下部内扉７ｂの前面の下方に取り付けられて商品箱受台９の組み立て完了時に支持部１２の下端を下方から係合し、商品箱受台９の折りたたみ時に支持部１２との係合状態を解消可能な断面かぎ状の係合金具１３とを有する。
【００１０】
図１３に示すように、棚板１１の他端部にはＣ字状にカールする第１のカール部１１ａが形成され、棚板１１の左右側部には、図１４（ｂ）に示すように、第１のカール部１１ａと同様にＣ字状にカールする第２のカール部１１ｂが形成されている。
【００１１】
この第１のカール部１１ａは、支持部１２の一端側を嵌合可能であるとともにこの支持部１２を棚板１１に対して回動可能にし、第２のカール部１１ｂは、図１３における矢印イにて示すように、支持部１２を棚板１１に対して一直線状となる姿勢に回動させたうえでこの支持部１２を、矢印ロにて示すように、この左右側部の長さ方向に摺動させて収納することが可能とされている。なお、商品箱受台９は、組み立て完了時の姿勢が、商品箱１５を受ける姿勢（以下、係合姿勢と記す）であり、この係合姿勢時に、棚板１１の位置が補充作業者の腰の位置あたりになるように下部内扉７ｂに取り付けられている。また、商品箱受台９は、折りたたみ時に支持部１２を収容した状態の棚板１１を、図１３における矢印ハにて示すように、取付金具１０を中心に下方に回動させることで、外扉５の背面部６と内扉７との間の隙間２６に収納される。
【００１２】
このような構成の商品箱受台９を有する自動販売機１の商品収容部３に商品を補充する際には、作業者は、自動販売機１の外扉５の錠を解除したうえで、外扉５を開け、内扉７における下部内扉７ｂに取り付けられている商品箱受台９を組み立てる。
【００１３】
詳細には、棚板１１を手前側に回動させ、棚板１１における第２のカール部１１ｂに収納されている支持部１２を引き出してその一端側を棚板１１の第１のカール部１１ａに嵌合させ、支持部１２を棚板１１に対して回動させて、支持部１２の他端側を係合金具１３に係合させることで、支持部１２により棚板１１を水平姿勢に支持させる。
【００１４】
次に、作業者は、組み立てた商品箱受台９に商品が詰め込まれた商品箱１５を載置するとともに上部内扉７ａを開け、商品箱１５から商品を取り出してこの商品を商品投入口３ａから商品収容部３内に投入する。
【００１５】
このとき、作業者は、商品箱受台９で受けられた商品箱１５が商品投入口３ａに近くて高い位置にあることで商品箱１５からの商品の取り出しを、体を屈曲等させる動作を行うことなく立ち姿勢のままで行うことができる。したがって、商品の投入時に作業者にかかる負担を軽減することができる。
【００１６】
商品の投入が終了すると、作業者は、上部内扉７ａを閉じて商品箱１５を商品箱受台９上から撤去し、上述した組み立て手順とは逆の手順で商品箱受台９を折りたたみ、外扉５を閉じて施錠する。
【００１７】
なお、上記においては、支持部１２が棚板１１の第２のカール部１１ｂ内に収納可能な場合を説明したが、これ以外に、例えば、図１５（ａ）および（ｂ）に示すように、Ｖ字状の支持部１２の一端側を棚板１１の下面となる位置に回動可能に取り付け、支持部１２の他端側を係合金具１３によって下部内扉７ｂの上下方向に対して摺動可能に支持するとともに、折りたたみ時には下部内扉７ｂに設けられた係止部２７により棚板１１を係止する構成を採用したり、図１６（ａ）および（ｂ）に示すように、Ｖ字状の支持部１２の一端側を棚板１１の下面となる位置に回動可能に取り付け、支持部１２の他端側を係合金具１３に係合可能にする構成を採用する場合もある。
【特許文献１】特開平５−２８２５３８号公報
【発明の開示】
【発明が解決しようとする課題】
【００１８】
上記において説明した折りたたみ式の商品箱受台９を有する自動販売機１の場合、商品箱受台９が折りたたまれていない状態で、例えば、作業者が誤って外扉５を閉じてしまったりすると、この商品箱受台９が外扉５と内扉７とに挟まれて当接することになり、外扉５の内側に取り付けられている操作部１４、制御部１６や料金回収部１７が破損してしまったり、商品箱受台９が破損してしまったりするおそれがある。また、商品箱受台９を利用するたびに、組み立てや折りたたみを行わなければならず、多くの手間がかかってしまう。
【００１９】
そこで本発明はこのような問題を解決して、内扉の前面に商品箱受台が取り付けられた自動販売機において、商品を補充する作業中に外扉を閉じてしまっても、商品箱受台などの破損を防止できる自動販売機を提供することを目的とする。
【課題を解決するための手段】
【００２０】
上記課題を解決するために請求項１記載の発明は、自動販売機本体と、前記自動販売機本体に回動可能に取り付けられるとともに前記自動販売機本体の前面を開閉する外扉と、前記自動販売機本体の内部に配置されているとともに、商品を補充するための商品投入口および前記商品投入口から投入された商品を収容する商品収納経路部を有する商品収容部と、前記商品投入口を開口させた状態で前記商品収納経路部の前面を覆うことが可能な内扉とを備えた自動販売機であって、閉じられた状態の外扉の背面と前記内扉との隙間において、補充商品が詰め込まれた商品箱を係合可能な商品箱係合部材が、前記商品箱に係合できる姿勢で前記内扉の前面に取り付けられているものである。
【００２１】
このような構成によると、商品箱係合部材が商品箱に係合する姿勢で内扉の前面に取り付けられているので、商品収容部に商品を補充する作業者は、外扉を開けるだけで、商品箱を商品箱係合部材に係合させることができ、商品箱からの商品の取り出しを、体を屈曲等させる動作を行うことなく立ち姿勢のままで行うことができ、商品の補充時に作業者にかかる負担を軽減することができる。また、作業中に外扉を閉じてしまっても、商品箱係合部材は、外扉の背面と内扉との隙間に収まる大きさであるため、外扉が閉じたことによって、内扉、商品箱係合部材などが破損するといったことを確実に防止することができる。さらに、商品箱係合部材が商品箱を係合する姿勢であるので、作業者は商品箱係合部材を組み立てたり、折りたたんだりする必要がなく、その分、作業時間を短縮して作業効率の向上を図ることができる。
【００２２】
請求項２記載の発明は請求項１記載の自動販売機において、商品箱係合部材は、内扉側から外扉側に向かって形成されて商品箱を係合させる係合部と、前記係合部を前記内扉に対して支持する支持部と、前記商品箱係合部材を前記内扉に対して取り付けるための取付部とを有し、前記係合部と、前記支持部と、前記取付部とが一体に形成されているものである。
【００２３】
このような構成によると、商品箱係合部材は、係合部と、支持部と、取付部とが一体に形成されていることにより、例えば折りたたみ式のような、構造が複雑な商品箱係合部材を用いる場合に比べて、部品点数を削減することができ、安価な商品箱係合部材を提供することができる。
【００２４】
請求項３記載の発明は請求項１または２記載の自動販売機において、商品箱係合部材は、内扉の上下方向に対する取り付け高さが調整可能とされているものである。
このような構成によると、内扉の上下方向に対する商品箱係合部材の取り付け高さが調整可能とされていることにより、作業者が作業をしやすくなる位置に商品箱係合部材の高さを調整することができ、作業効率の向上を図ることができる。
【００２５】
請求項４記載の発明は請求項１〜３のいずれか１項記載の自動販売機において、商品箱係合部材は、取付板を介して内扉に取り付けられており、前記取付板は、前記商品箱係合部材を前記内扉に対して係止するための係止孔を有し、前記係止孔が前記取付板の上下方向に対して複数形成されているものである。
【００２６】
このような構成によると、内扉の上下方向に対する商品箱係合部材の取り付け高さの調整を、取付板の上下方向に対して複数形成されている係止孔の位置に合わせて簡単に行うことができる。
【発明の効果】
【００２７】
以上のように本発明によれば、作業中に外扉を閉じてしまっても、商品箱係合部材は、外扉の背面と内扉との隙間に収まる大きさであるため、外扉が閉じたことによって、内扉、商品箱係合部材などが破損するといったことを確実に防止することができる。さらに、商品箱係合部材が商品箱を係合する姿勢であるので、作業者は商品箱係合部材を組み立てたり、折りたたんだりする必要がなく、その分、作業時間を短縮して作業効率の向上を図ることができる。
【発明を実施するための最良の形態】
【００２８】
本発明の実施の形態の自動販売機２０を、図１〜図９を参照しながら説明する。なお、図１０〜図１４において説明したものと同様のものには同じ符号を付すことで、その詳細な説明を省略する。また、本実施の形態においては、外扉５の前面側すなわち接客面側に陳列される商品見本などを外扉５の内側から交換しやすいように、外扉５の背面部６が、外扉５に対して開閉自在とされた中扉６とされている場合を説明する。
【００２９】
図１および図２に示すように、本発明の実施の形態の自動販売機２０は、外扉５が閉じられた状態で外扉５の背面、すなわち本実施の形態では中扉６と内扉７との間に、操作部１４などを収納するための、商品収容部３の奥行き方向の隙間２６を有する。
【００３０】
内扉７の下部内扉７ｂにおける前面には、この前面に貼り付けられた取付板２１を介して、この隙間２６に収まる大きさの商品箱係合部材２２が取り付けられている。この自動販売機２０は、図１０に示した自動販売機１における下部内扉７ｂに取付板２１および商品箱係合部材２２が取り付けられた構成であり、その他の箇所は図１０および図１１に示した自動販売機１と同様の構成である。この取付板２１は、比較的肉厚が薄い下部内扉７ｂの外殻をなす板材に商品箱係合部材２２を取り付けやすくするため、およびこの薄肉の下部内扉７ｂを補強するために取り付けられている。
【００３１】
商品箱係合部材２２は、図１〜図３に示すように、取付板２１に沿うように形成されてこの取付板２１に取り付けられる取付部としての上部取付部２２ａおよび下部取付部２２ｂと、上部取付部２２ａの下端から手前側に向けて水平に延設されて商品箱１５（図６参照）を係合させる係合部２２ｃと、係合部２２ｃから下部取付部２２ｂに向けて斜めに延設されて係合部２２ｃを下部内扉７ｂに対して支持する支持部２２ｄとを有する。この商品箱係合部材２２は、係合部２２ｃが手前側に向けて水平に延設されて、商品箱を係合する姿勢いわゆる係合姿勢とされており、この姿勢で中扉６と内扉７との隙間２６に収まるようにされている。なお、上部取付部２２ａおよび下部取付部２２ｂには、その両端側の位置に丸孔２２ｅ、２２ｅが形成されている。
【００３２】
商品係合部材２２は、例えば金属板に曲げ加工を施したり、硬質の樹脂などにより成形されて、上部取付部２２ａ、係合部２２ｃ、支持部２２ｄおよび下部取付部２２ｂを一体に形成されている。このように一体形成することで、例えば図１２〜図１６に示したような、折りたたみ式の複雑な構造で、かつ、大型の商品箱受台９に比べ、部品点数を削減することができ、安価にかつ容易に商品箱係合部材２２を生産することができる。
【００３３】
また、係合部２２ｃおよび支持部２２ｄは、図３に示すように、外扉５に近づくにつれて左右の幅が狭くなるように側面が傾斜して形成されて、いわゆる幅方向における角の部分が除去された形状とされている。これにより、作業者が商品補充作業以外の設定作業やその他の作業を行う場合でも、商品箱係合部材２２に作業者の衣服などが引っ掛からないようにすることができる。
【００３４】
一方、取付板２１には、図４に示すように、上部取付部２２ａまたは下部取付部２２ｂにおける丸孔２２ｅに対応した箇所に係止孔としてのねじ孔２１ａ、２１ａが形成されており、このねじ孔２１ａ、２１ａは、取付板２１の上下方向に、例えば５段に形成されている。
【００３５】
商品箱係合部材２２は、図５に示すように、上部取付部２２ａおよび下部取付部２２ｂにおける丸孔２２ｅ、２２ｅにねじ２３が挿通され、このねじ２３における丸孔２２ｅ、２２ｅを貫通した部分が取付板２１のねじ孔２１ａ、２１ａにねじ合わせられることで、取付板２１に取り付けられている。
【００３６】
商品箱係合部材２２は、上部取付部２２ａが取付板２１における上から１段目のねじ孔２１ａに対応する位置に取り付けられると、下部取付部２２ｂは３段目のねじ孔２１ａに対応する位置に取り付けられる。同様に、上部取付部２２ａが上から２段目のねじ孔２１ａに対応する位置に取り付けられると、下部取付部２２ｂは４段目のねじ孔２１ａに対応する位置に取り付けられ、上部取付部２２ａが上から３段目のねじ孔２１ａに対応する位置に取り付けられると、下部取付部２２ｂは５段目のねじ孔２１ａに対応する位置に取り付けられるようになっている。このように、商品箱係合部材２２は、下部内扉７ｂの上下方向に対して３段階に取り付け高さの調整が可能とされている。
【００３７】
したがって、例えば図１２に示した商品箱受台９の場合であれば、商品箱受台９が折りたたみ式の複雑な構造でかつ大型であるため、棚板１１の高さを調整することが困難であるが、商品箱係合部材２２は、上記のように、下部内扉７ｂの上下方向に対して３段階に取り付け高さの調整が可能であるので、作業者が作業をしやすくなる位置に商品箱係合部材２２を容易に取り付けることができ、作業効率のさらなる向上を図ることができる。
【００３８】
上記のような構成において、商品箱係合部材２２を有する自動販売機２０の商品収容部３に商品を補充する際には、作業者は、自動販売機２０の外扉５の錠を解錠したうえで、外扉５および上部内扉７ａを開ける。
【００３９】
このとき、上述したように、取付板２１および商品箱係合部材２２が、下部内扉７ｂの前面に取り付けられているとともに、この取付板２１および商品箱係合部材２２が係合姿勢で設けられているので、作業者は、商品箱受台９の場合のように組み立てる必要がない。したがってその分、作業の効率化を図ることができる。
【００４０】
次に、作業者は、図６に示すように、商品箱係合部材２２に補充商品が詰め込まれた商品箱１５の一方側を係合させるとともに、他方側を例えば作業者自身の太ももなどで支えつつ、上部内扉７ａを開け、商品箱１５から補充商品を取り出して、この商品を商品投入口３ａから商品収容部３内に投入する。
【００４１】
このとき、商品箱係合部材２２と作業者の太ももなどで受けられた商品箱１５が商品投入口３ａに近くて高い位置にあるので、作業者は、商品箱１５からの補充商品の取り出しを、体を屈曲等させる動作を行うことなく立ち姿勢のままで行うことができる。したがって、商品の投入時に作業者にかかる負担を軽減することができる。また、作業中に外扉５を閉じてしまっても、商品箱係合部材２２は、係合姿勢で中扉６と内扉７との隙間２６に収まる大きさであるため、外扉５を閉じたことによって商品箱係合部材２２が中扉６と内扉７との間に挟まれることはなく、よって中扉６、内扉７および商品箱係合部材２２が破損するといったことを確実に防止することができる。
【００４２】
商品の充填が終了すると、上部内扉７ａを閉じて商品箱１５を商品箱係合部材２２上から撤去する。このとき、商品箱係合部材２２は、図１２に示した商品箱受台９の場合のように折りたたむ必要がない。したがってその分、作業の効率化を図ることができる。そして、作業者は外扉５を閉じ、この外扉５に施錠をして作業を完了する。
【００４３】
なお、上記においては、商品箱係合部材２２を取付板２１にねじ止めした場合を説明したが、これに限らず、下部内扉７ｂが厚肉で十分な強度を有する場合は商品箱係合部材２２を直接に下部内扉７ｂに固着しても良い。また、例えば図７に示す商品箱係合部材２４のように、この商品箱係合部材２４を取付板２５に係合させてもよい。
【００４４】
この商品箱係合部材２４は、図７および図９に示すように、下部内扉７ｂ側から中扉６側に向けて水平に形成されて商品箱を係合させる係合部２４ａと、係合部２４ａに対して垂直に形成されて取付板２５に沿う背面部２４ｂと、係合部２４ａにおける中扉６側の端部と背面部２４ｂの下端部とを接続するとともに係合部２４ａを取付板２５に対して支持する支持部２４ｃと、背面部２４ｂの上部でかつ左右の端部に形成されているとともに鉤状に形成されて取付板２５に係合するフック部２４ｄと、両側の側面部２４ｅとを有する。なお、商品箱係合部材２４は中空状に形成されている。
【００４５】
取付板２５は、図７〜図９に示すように、商品箱係合部材２４におけるフック部２４ｄに対応した箇所にこのフック部２４ｄをはめ込み可能な係止孔としての長孔２５ａが形成されており、この長孔２５ａ、２５ａは、取付板２５の上下方向に、例えば３段に形成されている。また、下部内扉７ｂにおける前記長孔２５ａに対応する位置には、商品箱係合部材２４のフック部２４ｄをはめ込み可能な長孔７ｃが形成されている。
【００４６】
商品箱係合部材２４は、そのフック部２４ｄを長孔２５ａおよび長孔７ｃにはめ入れて、この長孔２５ａおよび長孔７ｃの下側の周縁部に係合させることで、取付板２５に取り付けられている。このとき、図９に示すように、フック部２４ｄを係合させる長孔２５ａを、１段目の長孔２５ａ、２段目の長孔２５ａ、３段目の長孔２５ａ、というように変更することで、下部内扉７ｂの上下方向に対する商品箱係合部材２４の取り付け高さを３段階に調整することができる。これにより、作業者が作業をしやすくなる位置に商品箱係合部材２４を容易に取り付けることができ、作業効率のさらなる向上を図ることができる。なお、取付板２５は、ねじ等（図示は省略）により下部内扉７ｂに取り付けられている。
【００４７】
以上のような商品箱係合部材２４および取付板２５を用いた場合では、図１〜図６を参照して説明した商品箱係合部材２２および取付板２１と同様の作用効果を得ることができ、さらに、商品箱係合部材２４は、商品箱係合部材２２のような取付板２１に対するねじ止めを必要としないことから、商品箱係合部材２２を用いる場合に比べて、部品点数をさらに削減することができる。
【００４８】
なお、本発明では、商品箱係合部材２２に商品箱１５の一方側を係合させ、他方側を作業者自身の太ももなどで支えることで、商品箱１５を地面や床上に置かなくてもいいようにしており、商品箱を完全に載置できる従来の商品箱受台９に比べると、作業者に対して負担を与える可能性もあったが、実際に行ってみるとそうではなく、作業者にかかる負担は僅かであり、組み立てや折りたたみの手間が不要であることを勘案すると、本発明は、従来の商品箱受台９に比べ、予想以上に実用的であり便利なものであるといえる。
【図面の簡単な説明】
【００４９】
【図１】本発明の実施の形態の自動販売機の右側断面図である。
【図２】本発明の実施の形態の自動販売機を示す図である。
【図３】図１に示す自動販売機の商品箱係合部材を示す図である。
【図４】図１に示す自動販売機の取付板を示す図である。
【図５】下部内扉に対して図１に示す取付板および商品箱係合部材を取り付けた状態を示す図である。
【図６】図１に示す自動販売機に商品を補充する状態を示す図である。
【図７】図３に示す商品箱係合部材とは別の商品箱係合部材を示す図である。
【図８】図４に示す取付板とは別の取付板を示す図である。
【図９】下部内扉に対して図８に示す取付板および図７に示す商品箱係合部材を取り付けた状態を示す図である。
【図１０】従来の自動販売機を示す図である。
【図１１】従来の自動販売機の右側断面図である。
【図１２】商品箱受台を有する従来の自動販売機を示す図である。
【図１３】図１１に示す商品箱受台の右側面図である。
【図１４】（ａ）は、図１１に示す商品箱受台における棚板と支持部とを示す図、（ｂ）は、棚板の断面図である。
【図１５】図１１に示す商品箱受台とは別の商品箱受台を示す図である。
【図１６】図１１および図１４に示す商品箱受台とは別の商品箱受台を示す図である。
【符号の説明】
【００５０】
２    自動販売機本体
３    商品収容部
３ａ  商品投入口
３ｂ  商品収納経路部
５    外扉
６    中扉
７    内扉
７ｂ  下部内扉
２０    自動販売機
２２    商品箱係合部材
２２ａ  上部取付部
２２ｂ  下部取付部
２２ｃ  係合部
２２ｄ  支持部
２６    隙間
【図１】
2006163653.tif 000003
【図２】
2006163653.tif 000004
【図３】
2006163653.tif 000005
【図４】
2006163653.tif 000006
【図５】
2006163653.tif 000007
【図６】
2006163653.tif 000008
【図７】
2006163653.tif 000009
【図８】
2006163653.tif 000010
【図９】
2006163653.tif 000011
【図１０】
2006163653.tif 000012
【図１１】
2006163653.tif 000013
【図１２】
2006163653.tif 000014
【図１３】
2006163653.tif 000015
【図１４】
2006163653.tif 000016
【図１５】
2006163653.tif 000017
【図１６】
2006163653.tif 000018